(57)【要約】【課題】地震の揺れで墓石が倒壊しないように補強する。【解決手段】竿石２の下面中心に穴５を穿設し、その穴の中に埋め込みナット６を挿入し、隙間に２液性エポキシ樹脂等の固着剤７を充填して固定する。このナット６に支持ボルト３をねじ込んで固定する。台石１ａ〜１ｃを順に積み上げ、ボルト孔９に、竿石の下に固定した支持ボルト３を挿入するようにして、竿石２を台石１ｃの上に載置する。支持ボルトの下端にナット１０を螺合して緊締する。【選択図】図４
2006022487.tif 000002
【特許請求の範囲】
【請求項１】
何段かに積み上げられた石材と、最上段のものを除く石材を上下に貫く支持ボルトと、該支持ボルトの上端に螺合する、最上段の石材の下面に穿った穴の中に収められる埋め込みナットと、該穴の内面と該埋め込みナットの間に充填硬化させた固着剤からなる石材構造物。
【請求項２】
該埋め込みナットが周面に沿ってくびれまたは溝を有する請求項１に記載の石材構造物。
【請求項３】
該埋め込みナットが周面に羽根を有する請求項１に記載の石材構造物。
【請求項４】
最上段の石材の下面に穴を穿ち、その穴の中に埋め込みナットを収納し、該ナットの周囲に固着剤を充填して硬化させ、該ナットに支持ボルトの上端を螺合し、この支持ボルトを、最上段の下になる石材に串通するようにして最上段の石材を積み上げ、該支持ボルトの下端にナットを螺合緊締した石材構造物の構築法。
【請求項５】
支持ボルトに通すようにして、１つ１つ石材を積み上げ、各石材は該支持ボルトにナットを螺合して締め付けるようにし、最上段の石材の下面に予め穴を穿っておき、この穴の中に固着剤を充填し、これが硬化しないうちに、最上部の埋め込みナットをこの穴の中に収納するようにして最上段の石材を積み上げた石材構造物の構築法。
【発明の詳細な説明】
【技術分野】
【０００１】
本発明は、墓石等の石材構造物が地震や大風で転倒するのを防止する技術に関する。
【背景技術】
【０００２】
墓石の転倒を防止する手段として、従来は、上下の石の間に金属棒を噛ませたり、継ぎ目に接着剤を塗布したりしているが、大きな地震に対する備えとしては不十分であり、地震があるたびに墓石の倒壊が後を絶たない。さらに強度を上げるために、下記特許文献１には、墓石を上から下まで貫くように支持ボルトを通し、ナットで締め付けるようにしたものが示されている。
【特許文献１】特開１０−３７５３２号公報
【発明の開示】
【発明が解決しようとする課題】
【０００３】
上記のように支持ボルトを貫通させたものは、強度的には優れるが、竿石の天端にボルト孔が現れるので、見栄えがよくない。この発明は、転倒防止の効果が高く、しかも、中心に通っている支持ボルトを外から見えなくすることを課題とする。
【課題を解決するための手段】
【０００４】
この発明の石材構造物は、何段かに積み上げられた石材と、最上段より下側の石材を上下に貫く支持ボルトと、該支持ボルトの上端に螺合する、最上段の石材の下面に穿った穴の中に収められる埋め込みナットと、該穴の内面と該上部ナットの間に充填して硬化させた固着剤からなる（請求項１）。
【０００５】
この発明では、支持ボルトが貫通しているのは最上段の次の段から最下段まであり、最上段の石材頂部に支持ボルト孔をあける必要がないので、見栄えがよい。また、最上段の石材の下面に穴をあけ、その中に、支持ボルトに螺合する埋め込みナットを収め、その周りに固着剤を充填して固定したので、最上部の石材も支持ボルトの上端に強固に固定することできる。この発明は、墓石をはじめ、石材を積み上げる構造物、例えば、石塔、石仏、石灯籠等にも適用することができる。
【０００６】
埋め込みナットは、周面に沿ってくびれまたは溝を有するものであることが好ましい（請求項２）。くびれまたは溝に固着剤が入り込んで食い付くので、穴から脱落しにくくなる。また、埋め込みナットの周面に羽根を設け、ナットが回りにくくするのもよい（請求項３）。
【０００７】
このような石材構造物を構築するには、２つの方法がある。その一つは、最上段の石材の下面に穴を穿ち、その穴の中に埋め込みナットを収納し、該ナットの周囲に固着剤を充填して硬化させる。これらの作業は、硬化する前に固着剤が垂れないよう、石材を逆さまにして行うとよい。このように最上段の石材に固定されたナットに支持ボルトの上端を螺合し、この支持ボルトの下端を、最上段より下の石材に串通するようにして最上段の石材を積み上げ、該支持ボルトの下端にナットを螺合緊締する（請求項４）。
【０００８】
この方法で構築すれば、支持ボルト下端のナットを外すことにより、分解が可能であり、展示場に展示する墓石に適用するのに好適である。
【０００９】
もう一つの構築法は、支持ボルトに通すようにして、１つ１つ石材を積み上げ、各石は支持ボルトに螺合したナットで締め付けるようにし、最上段の石材の下面に予め穴を穿っておき、この穴の中に固着剤を充填し、これが硬化しないうちに、最上部のナットをこの穴の中に収納するようにして最上段の石材を積み上げる（請求項５）。
【００１０】
このものでは、固着剤が硬化してナットが穴の中に固定されることにより、最上段の石材が下の段の石材に固定される。なお、最上段のものを除き各石は支持ボルトにナット止めできるので、このものは転倒防止効果が高い。
【発明を実施するための最良の形態】
【００１１】
図１に示す墓石は、下から、芝台石１ａ、中台石１ｂ、上台石１ｃ、竿石２の順で積み上げたもので、中心にステンレスなど金属製の支持ボルト３が通っている。これを構築するには、図２に示すように、竿石２を反転して下面を上に向け、中心に穴５を穿設し、その穴の中に埋め込みナット６を挿入し、隙間に２液性エポキシ樹脂等の固着剤７を充填し、時間が経過して硬化した固着剤でナットを固定する。このナット６の中に支持ボルト３の上端をねじ込んで固定する。
【００１２】
埋め込みナット６は、竿石の穴から簡単に抜け出たり、回ったりしては用をなさない。そこで、ナット本体６ａに短いボルト６ｂを中程までねじ込んであり、ボルトの残り半分ほどがナット本体の外に突き出している。突き出したボルトの周囲にはねじ溝が切ってあるので、これらの溝に固着剤（樹脂）が入り込む。また、ボルト６ｂは頭から下がくびれており、このくびれ部分にも樹脂が入り込むので、埋め込みナット６が穴から脱落するのを防止することができる。なお、短ボルト６ｂはナット本体６ａと一体に形成してもよい。また、ナット本体の下部には、図３にも示すように、２枚の羽根６ｃが固定してあり、これらの羽根は、固着剤７の中に埋もれて、埋め込みナットが回転するのを防止している。
【００１３】
芝台石１ａ、中台石１ｂおよび上台石１ｃは、予め中心にボルト孔９をあけておく。図４に示すように、これらの石を順に積み上げ、ボルト孔に、竿石の下に固定した支持ボルト３を挿入するようにして、竿石２を鎖線で示すように上台石１ｃの上に載置する。次いで、支持ボルトの下端にナット１０を螺合して緊締すればでき上がりである。
【００１４】
このように構築したものでは、台石１ａ〜１ｃは、支持ボルト３が中心に通っており、これで上下に締め付けられており、地震の際、ずれたり倒壊したりすることがない。竿石２は、埋め込みナット６を介して支持ボルトの上端に固定されているので、地震時に横方向にずれたり、跳ね上がることがない。また、支持ボルトが竿石２を上下に貫通していないので、支持ボルトが外から見えないという特徴がある。さらに、ナットを外すだけで墓石は簡単に分解することができるので、展示場に並べる墓石に使うと便利である。
【００１５】
図５は別の構築法を示すものであり、芝台石１ａ、中台石１ｂ、上台石１ｃは中心にボルト孔９をあけてあり、その孔に支持ボルト３を通すようにして下から順に積み上げる。各台石はボルトに螺合したナット１０で締め付ける。符号１１は座金、符号１２はスプリングワッシャである。石と石の間には接着剤を塗布すると強度が増す。また、ボルト孔９とその中を通る支持ボルト３との隙間にはモルタルや樹脂等の固着剤７を充填して硬化させると支持ボルトが抜けにくい。
【００１６】
上台石１ｃを締め付けるナットには、前述の図２の埋め込みナット６を用いる。竿石２は、下面中央に、前述図２と同じ穴５を形成しておき、その中に同じく固着剤（樹脂）７を充填する。この樹脂が硬化しないうちに、竿石２を台石の上に載せる。すると、埋め込みナット６が穴の中の樹脂に埋まり、時間が経って樹脂が硬化することで、竿石が埋め込みナットを介して支持ボルトに固定される。台石同士および台石と竿石の間には接着剤を塗布すると強度が増す。台石の下に支持ボルトの下端を突き出すようにし、その突出部３ａを基礎コンクリートに埋め込んで固定すれば、より強度が増す。
【００１７】
この構築法は、分解ができないが、各台石をナットで支持ボルトに固定できるので、前のものより、転倒防止の効果は高い。
【図面の簡単な説明】
【００１８】
【図１】墓石の側面図である。
【図２】逆さまにした竿石の下面の中央部断面図である。
【図３】埋め込みナットの斜視図である。
【図４】墓石の構築法を示す断面図である。
【図５】別の構築法を示す断面図である。
【符号の説明】
【００１９】
１    台石
２    竿石（最上段の石材）
３    支持ボルト
５    孔
６    埋め込みナット
７    固着剤
【図１】
2006022487.tif 000003
【図２】
2006022487.tif 000004
【図３】
2006022487.tif 000005
【図４】
2006022487.tif 000006
【図５】
2006022487.tif 000007